(57)【要約】【課題】絶縁性と結露防止機能を備えた直管型ＬＥＤ照明を提供すること。【解決手段】帯状基板にＬＥＤ素子を実装した発光体に熱収縮チューブを被着し、それらを固定したアルミ放熱板を直管５内に掛架するとともに、直管両サイドの電極ピン７の口金８に空気孔９を形成する。熱圧縮チューブによって発光体は保護され、空気孔９によって内外の空気流通が可能となり直管５内の高熱が回避できて結露発生が未然に防止されることによりＬＥＤ照明の長寿命が一層向上する。【選択図】図３
0003173782.tif 000002
【実用新案登録請求の範囲】
【請求項１】
帯状基板の長手方向に沿いＬＥＤ素子の多数個を実装してなる発光体の表面全体に熱収縮チューブを被着し、それらを固定したアルミ放熱板を直管内に掛架するとともに、直管両サイドに取り付けた電極ピンの口金正面に、空気孔を夫々形成したことを特徴とする結露防止策を施した直管型ＬＥＤ照明。
【考案の詳細な説明】
【技術分野】
【０００１】  本考案は管内部に水滴が溜まることがなく絶縁性にもすぐれる、結露防止策を施した直管型ＬＥＤ照明に関する。
【背景技術】
【０００２】  従来の蛍光灯は内部が真空であり高熱を発しても管内部に水滴が溜まって結露が発生するといったおそれはないが、使用による部材の劣化によって照明度が落ちたり点灯不能となりやすく、その都度蛍光灯を取り替えるといった手間のかかる欠点がある。これに対しＬＥＤ照明は耐久性に優れるため長期にわたり同じ光輝度が維持できて取替えをする手間が省けるなど長寿命・省電力といった利点があり、このため蛍光灯が漸次ＬＥＤ照明に変わりつつあることも事実である。反面このＬＥＤ照明はＬＥＤモジュールの絶縁性の問題と、取り付け器具内に発生する結露面での弱点が指摘されており、それゆえこれらの問題解決に向けた技術の開発も試みられている（例えば特許文献１〜５参照）。
【先行技術文献】
【特許文献】
【０００３】
【特許文献１】特開２００９−４２２６０号公報
【特許文献２】特開２０００−４６２３７号公報
【特許文献３】特開２０１０−２５７７４６号公報
【特許文献４】特開平１１−１７７１４９号公報
【考案の概要】
【考案が解決しようとする課題】
【０００４】  特許文献１はフレキシブルＬＥＤモジュールによる表示システムに関する技術でありＬＥＤモジュールと帯状ベースとを張り合わせ両者を透明熱収縮チューブでラミネート加工することを特徴としている。熱収縮チューブを利用することでＬＥＤ照明体の絶縁性が担保されることは理解されるが、このものはあくまでも帯状のフレキシブルプリント基板上のＬＥＤを対象としたものであり、一般家庭等で使用する蛍光灯型の照明には妥当しない。【０００５】  特許文献２はランプ付き基板を絶縁性をもたせて確実に固定し全体をコンパクトにすることを趣旨としたランプ付き基板の固定方法に関するもので、ランプ付き基板が熱収縮性チューブにより一体的に包み込まれれることを手段としている。この技術も前記文献１と同様熱収縮テープが照明体の面に被着されたことにより絶縁性に優れるものであることが強調されているが、この技術はランプ付き基板を備えた小型電磁弁を目的としているものであり、蛍光灯型のような汎用性のある照明器具には不向きといえる。【０００６】  特許文献３には照明具内に湿気や水が浸入しにくく、たとえ結露や水の侵入があっても外部には容易に排出することが可能な照明器具が開示されている。この技術は水の浸入があっても排出できるための水抜き穴を穿設することを特徴としたもので水の排出が容易となることは首肯されるが、この製品は水抜き機能を備えるポール付き照明器具であるから、使用形態が異なる直管型照明とは異質なものといえる。【０００７】  特許文献４は、光源にＬＥＤ発光体を用い結露によって光拡散性を消失せず且つ正面方向の視認角度の広い電球に係わる技術であって、内部にＬＥＤ発光体を有する電球の表面に透光性の被覆部材を被着したというものである。この製品はなつめ型等の球形をした電球を対象としたものであるから蛍光灯のような直管型であるＬＥＤ照明とは趣旨を異にし、使用範囲も限定されることは否めない。【０００８】  前記した複数の文献にみられるように、ＬＥＤ照明が課題とするところの絶縁性の問題の解消に熱収縮チューブを用いた照明器具は存在してそれなりの目的効果を奏するとはいえるが、それらは特定構造の照明体としての有用性を発揮するにとどまるというものでありまたＬＥＤ照明の結露防止に関する技術も現在既に汎用されつつある直管型の照明器具における結露防止に直接役立つ性質のものではなく、本考案はこのような課題の解決に向けて提案されたものである。
【課題を解決するための手段】
【０００９】  すなわち本考案は、帯状基板の長手方向に沿いＬＥＤ素子の多数個を実装してなる発光体の表面全体に熱収縮チューブを被着し、それらを固定したアルミ放熱板を直管内に掛架するとともに、直管両サイドに取り付けた電極ピンの口金正面に、空気孔を夫々形成したことを特徴としている。
【考案の効果】
【００１０】  熱収縮チューブを被着した発光体は全体が絶縁性機能を備え、また例え周辺に不純物や水分の発生があったとしても直接発光体に影響することはなく良好な発光状態と耐久性を維持してＬＥＤ素子の長寿命を確保でき、故障による機器の取替えといった無駄な作業等に腐心しないですむ。【００１１】  直管両サイドの口金表面には夫々空気孔が形成されているためその部分より空気流通が可能であり、直管内部の結露防止が所期される。一般的な従来の蛍光灯のようにＬＥＤでは管内部を真空状態とする必要がなく、このように口金個所に空気孔を形成しても問題は生じない。アルミ放熱板を有するとはいえＬＥＤ素子から発する熱は高温となるので直管内部もそれなりに熱せられることは当然であって長時間の点灯が続くとかなりの高温となるためその状態から消灯すると温度差により冷えた管内部に水滴が発生し結露となるのは避けられず、この結露によって発光体と直管にも悪影響を及ぼすこととなるが、両サイドの口金に空気孔を形成したことにより空気の流れが良くなるため管内部の過熱は未然に防止でき、それゆえ結露発生による器具内劣化等の負の影響も避けられる。つまり本考案によると熱圧縮チューブによる発光体の絶縁性が補填されるのと、口金個所に形成した空気孔による空気の流れを絶えず可能としたことの結露防止という二重の機能が相乗効果となって発揮されるため直管型ＬＥＤ照明の使用価値を従来に比べ格段に優れたものにしたということができる。
【図面の簡単な説明】
【００１２】  図面に基づき本考案の実施形態につき説明すると、図１の（ａ）及び（ｂ）は帯状基板１の長手方向上面に多数個のＬＥＤ素子２を実装した発光体Ａを示し、（ｃ）はアルミ放熱板３に発光体Ａを載置固定した例を示す。【００１３】  図２（ａ）はアルミ放熱板３に固定した図１に示す発光体Ａの表面全体に熱収縮チューブ４を被着した図であり、熱収縮チューブ４はアルミ放熱板３の表面においてピン止めＰされて不動状となる。（ｂ）はアルミ放熱板３の上下に発光体Ａを固着した例を示すものでこの場合も発光体Ａの表面全体に熱収縮チューブ４が被着される。（ｃ）は（ｂ）の発光体Ａを直管５内に支架した例を示したもので、直管５は絶縁性・耐久性に優れるポリカーボネート乳半を用いるのが好ましく、直管５内部に突設した挟持片６の溝孔にアルミ放熱板３の左右を掛架することによって発光体Ａが固定される。【００１４】  図３は直管５の外観を示したもので、その端部両サイドには、従来の蛍光灯と同様に電極ピン７を突出した口金８が取り付けられていて、電極ピン７は当然ながらソケット（不図示）の係合孔に挿着される。そして口金８には、電極ピン７を挟むようにして二箇所の空気孔９を形成している。空気孔９は（ａ）・（ｂ）のような楕円形状、（ｃ）のような通常の円形以外であっても差し支えはなく、要は空気流通に適した形状であれば良い。【００１５】  口金８の空気孔９は図では二箇所に形成されているため空気の流通がスムースとなり、そこを通って外部と直管５の内部相互の空気は絶えず行き来することとなる。すなわち通常は発光体Ａから発せられる高熱によって直管５内部は高温となるが、空気孔９が存在するため熱は放出されるとともに外部の冷えた空気が直管５内に流入するので内部温度は中和されて高温が抑制される。そのため長時間点灯後に消灯しても温度差による結露の発生が抑止でき、このためＬＥＤ照明のネックとなっている高熱の発生による器具の劣化・故障がその分回避され、ＬＥＤ照明の長寿命が一層向上する。【００１６】  つまり本考案によると、発光体Ａは熱収縮チューブ４によって絶縁性が確保され、直管５の内部温度は口金８に形成した空気孔９によって抑えられるという二重の効果が発揮される結果、嘗てないＬＥＤ照明の長寿命が所期されるという多大な成果が得られる。しかも特別な装置を必要とするものではなく既存の照明にも利用でき、構造簡単で安価量産に好適するという副次的効果も得られる。なお本考案における発光体Ａ及び直管５の材質・形状、熱収縮チューブ４の被着手段、空気孔９の個数等における本考案の目的効果を奏する範囲内の全ての付加・変更も本考案の実施の範疇に属すること勿論である。
【符号の説明】
【００１７】  １  帯状基板
２  ＬＥＤ素子
Ａ  発光体
３  アルミ放熱板
４  熱収縮チューブ
５  直管
７  電極ピン
８  口金
９  空気孔
【図１】
0003173782.tif 000003
【図２】
0003173782.tif 000004
【図３】
0003173782.tif 000005
【手続補正書】
【提出日】平成23年12月19日(2011.12.19)
【手続補正１】
【補正対象書類名】明細書
【補正対象項目名】００１２
【補正方法】変更
【補正の内容】
【００１２】
【図１】発光体Ａの説明図である。
【図２】発光体Ａに熱圧縮チューブを被着した説明図である。
【図３】直管の外観図である。図面に基づき本考案の実施形態につき説明すると、図１の（ａ）及び（ｂ）は帯状基板１の長手方向上面に多数個のＬＥＤ素子２を実装した発光体Ａを示し、（ｃ）はアルミ放熱板３に発光体Ａを載置固定した例を示す。